(57)【特許請求の範囲】
【請求項１】
通気性を有する外装体内に、表材側から裏材側に向かって、吸水性シート、蓄冷剤シ−トを順次収容したペット用冷却マット。
【請求項２】
上記外装体が、メッシュ材料からなり、この外装体の裏材の内側に、表面積の９０％以下の範囲で、防水断熱シートが敷かれていることを特徴とする請求項１記載のペット用冷却マット。
【請求項３】
上記吸水性シートが、高吸水繊維を含有する保水量３００〜２０，０００ｍｌ／ｍ２のシート材料からなる請求項１又は２記載のペット用冷却マット。
【請求項４】
上記蓄冷剤シートが、水溶性高分子溶液又は高吸水性ポリマー保水体が充填されたシート材料からなる請求項１〜３のいずれかの項に記載のペット用冷却マット。
【発明の詳細な説明】
【０００１】
【発明の属する技術分野】
この発明は、水分が気化する際の吸熱（潜熱）作用により、表面の温度を低く保つようにした犬や猫等のペット用の気化式冷却マット、特に、気化式冷却マットに、冷蔵庫で冷やす蓄冷剤シートを組み合わせることで、吸水性シートの水容量に正比例する一般的な冷却持続時間が延長され、しかも、べたつきの原因となる蓄冷剤シートの結露を、吸水性シートによって吸水させることによって、べたつきの解消と、気化水分の補充という相乗効果が得られる好適なペット用の気化式冷却マットに関するものである。
【０００２】
【従来の技術とその課題】
犬や猫は、体温が約３８〜３９℃と高く、特に、気温の高い夏期は、体温上昇によって、体力を消耗しやすい。
【０００３】
従来、吸水性シートや吸水体を使用し、水分が気化する際の吸熱（潜熱）作用だけで、その表面だけの温度を低く保つようにしたペット用の気化式冷却マットがある。
【０００４】
しかしながら、全体がベトベトし、夏の外気温とペット自身の体温で水温が上昇するため、潜熱の冷却効果だけでは、いまだ十分なものではなく、実用的なものといえなかった。
【０００５】
そこで、この発明は、ペット用の気化式冷却マットの水温を蓄冷剤で低下させることで、潜熱の冷却効果を持続させ、長時間の快適性を発現しようとするものである。
【０００６】
【課題を解決するための手段】
この発明は、上記の課題を解決するために、通気性を有する外装体内に、表材側から裏材側に向かって、吸水性シート、蓄冷剤シ−トを順次収容して、ペット用冷却マット構成したものである。
【０００７】
上記ペット用冷却マットに収容する蓄冷剤シートを、予め冷蔵庫に入れて、冷却しておく。そして、水分を含ませた吸水性シートと共に、冷却された蓄冷剤シートを、外装体内に収容して使用する。
【０００８】
上記ペット用冷却マットは、吸水性シートの水分の気化による吸熱（潜熱）作用による冷却効果が得られ、この冷却効果は、蓄冷剤シートの蓄冷作用により、その相乗で冷却能力が増大する。即ち、吸水性シートと、冷蔵庫で冷やす蓄冷剤シートを組み合わせることで、吸水性シートの水容量に正比例する冷却持続時間が延長されると共に、べたつきの原因となる蓄冷剤シートの結露を、吸水性シートによって吸水させることによって、べたつきの解消と、気化水分の補充という相乗効果が得られる。
上記外装体は、袋状に形成したものが使用しやすくて好ましいが、袋状のものに限られるものではない。
【０００９】
【実施の形態】
この発明に係るペット用冷却マットの一例を図１及び図２に基づいて説明する。
【００１０】
この図１及び図２に示す例では、外装体として、カバー袋１を採用している。このカバー袋１内には、表材側から裏材側に向かって、吸水性シート２、蓄冷剤シ−ト３、防水断熱シート４を順次収容している。
【００１１】
上記カバー袋１は、例えば、通気性に優れたネット材料によって形成されている。このネット材料としては、高強力ポリエステルフィラメント糸をメッシュ状に製織し、これに熱伝導性に優れた塩化ビニール樹脂を被膜したものを使用することができる。
【００１２】
上記吸水性シート２としては、例えば、高吸水性繊維の不織布によって形成することができる。この不織布は、高吸水性繊維１０〜１００重量％及び他の繊維９０〜０重量％とからなる。この不織布の保水量は、３００〜２０，０００ｍｌ／ｍ２、好ましくは、１，０００〜１０，０００ｍｌ／ｍ２である。カバー袋１の表材側に接触する上記不織布の片面には、透湿性を有し、防水性を有する被膜を積層している。
【００１３】
この発明において、上記高吸水性繊維とは、自重の５倍以上の吸水倍率を有する繊維をいい、吸水倍率は、吸水繊維１ｇを過剰な純水に３分間浸漬し、その後、そのまま引き上げて、３分間水切りのために放置した後の吸水繊維の重量（ｇ）／ｌ（ｇ）の値をいう。この高吸水性繊維の例としては、ランシールＦ（商品名）東洋紡績社製）を挙げることができる。ランシールＦは、吸水後の形状安定性に優れ、吸水と乾燥を繰り返し行える。
【００１４】
上記不織布の製造方法は、特に限定されるものではなく、ニードルパンチ、サーマルボンド、ウォーターパンチ、ケミカルボンド、エアレイなどの方法によって製造することができ、他の不織布、フィルム、紙、含水ゲル等のシートと多層構造にしたものでもよい。
【００１５】
また、吸水性シート２としては、上記高吸水性繊維を、円錐状、立方体、綿球状等の成形体にしたもの、高吸収性繊維そのものを通気性袋に収容したものでもよい。
【００１６】
上記ランシールＦは、結露吸収性能にも優れているので、ランシールＦを含む不織布を蓄冷剤シ−ト３の表面に使用することが好ましい。さらに、ランシールＦは、水分の蒸発潜熱による冷却材料としても優れたものであるから、ランシールＦを含む不織布は、人体の後頭部、首筋、額、脇の下、足等の冷却シートとしても有効に使用することができる。
【００１７】
また、上記高吸水性繊維と混用することができる他の繊維としては、ポリエステル、ポリアミド、ポリアクリルニトリル、ポリエチレン等の合成繊維、コットン、羊毛等の天然繊維、レーヨン、ポリノジック等の再生セルロース繊維等が挙げられる。
【００１８】
また、上記蓄冷剤シート３は、蓄冷剤５として、カルボキシルキメチルセルロース溶液を充填した合成樹脂製の袋体６によって形成されている。蓄冷材シート３の形状は、特に限定されるものではないが、冷凍時における保形性の点で、充填室が分割された分包連結シートが好ましい。蓄冷剤５を形成する材料としては、カルボキシルキメチルセルロース溶液等の水溶性高分子溶液、あるいはポリアクリル酸塩系、デンプンとポリアクリル酸塩の混合物系、ＰＶＡ系、イソプレンとマレイン酸塩の混合物系、ＰＶＡとポリアクリル酸塩の混合物系等の高吸収性ポリマーの保水体であれば特に限定することなく使用することができる。
【００１９】
上記防水断熱シ−ト４は、防水性の合成樹脂フィルム７をラミネートしたウレタン等の多孔質クッションシート８によって形成されている。
【００２０】
上記カバー袋１の裏材には、吸水性シート２、蓄冷剤シ−ト３、防水断熱シート４を出し入れするために、ファスナー９を設けている。
【００２１】
【実施例】
この発明に係るペット用冷却マットの実施例と比較例を作製し、表面の温度変化を測定した。
【００２２】
まず、自重の１５０倍の吸水能力がある高吸水繊維ランシールＦ（東洋紡績（株）製、５．６ｄｔｅｘ×５１ｍｍ）をニードルパンチ法により、目付け８０ｇ／ｍ２の不織布を製造し、この不織布の両面に、ポリエステルをスパンボンド法により製造した目付け３０ｇ／ｍ２の不織布（東洋紡績（株）製）をニードルパンチ法で貼り合わせた。この貼り合わせた不織布の表側表面だけに、厚さ１５μｍのウレタンフィルム（東洋ケミテック（株）製）を接着することにより、サイズ３５ｃｍ×２５ｃｍの吸水性シ−ト２を作製した。この吸水性シート２の飽和吸水量は、１，８００ｍｌ／ｍ２であり、１，５００ｍｌ／ｍ２の水を吸水させて使用した。
次に、カルボキシメチルセルロース（ニチリン化学工業（株）製）に加水した水溶性高分子溶液の混合物を厚み９５μｍの複合フィルム袋（東洋紡績（株）製、ナイロン＋ポリエチレン）に充填して、蓄冷剤シート３を製造した。この蓄冷剤シート３の総重量は、２０５ｇ、充填している混合物の内容量は、１９０ｇである。また、この蓄冷剤シート３のサイズは、２００×３１５ｍｍである。この蓄冷剤シート３は、−２０℃で６０分間保持して冷凍した状態で使用した。
また、高強力ポリエステルフィラメント糸をメッシュ状に製織し、これに塩化ビニール樹脂を被覆したメッシュ（日本ウェーブロック（株）製）を表裏として使用して、表裏に通気性を有するカバー袋１を作成した。
そして、このカバー袋１に、上記吸水性シート２、蓄冷剤シート３を順次収容したものを実施例１とし、カバー袋１に、吸水性シート２のみを収容したものを比較例１、蓄冷剤シート３のみを収容したものを比較例２として、室温３０℃に放置した状態の表面の温度変化を、表側に温度センサーを置いて測定した。その結果は、表１に示す通りであり、吸水性シート２と蓄冷剤シート３を併用する実施例１のものは、吸水性シート２、蓄冷剤シート３のみを使用する比較例１、２に比べて、３時間目以降も優れた冷却効果が得られるということが確認された。
【００２３】
【表１】
0004284821.tif 000002
【００２４】
【発明の効果】
この発明に係るペット用冷却マットは、上記のように構成されているので、吸水性シート２の水分の気化による吸熱作用と、蓄冷剤シート３の蓄冷作用とが相俟って、従来にない冷却力と持続性を保持し、表面がベトベトすることなく快適な使用感が得られる。
【図面の簡単な説明】
【図１】この発明に係るペット用冷却マットの一例を示す一部を切欠いた斜視図
【図２】同上の縦断斜視図
【符号の説明】
１  カバー袋
２  吸水性シート
３  蓄冷剤シ−ト
４  防水断熱シート
５  蓄冷剤
６  袋体
７  合成樹脂フィルム
８  多孔質クッションシート
９  ファスナー
【図１】
0004284821.tif 000003
【図２】
0004284821.tif 000004